(57)【要約】【課題】  発光素子の表示部分が分割でき、表示部分の大きさを変更可能とする。【解決手段】  複数の発光素子４を直線状に並べた線状発光モジュール１０と、前記線状発光モジュール１０の複数を所定の間隔で平面状に接続固定するモジュール接続固定装置と、前記発光素子４の点滅を制御する発光素子点滅制御装置１、２、３とを備えたことを特徴とする。【選択図】  図１
2007199454.tif 000002
【特許請求の範囲】
【請求項１】
複数の発光素子を直線状に並べた線状発光モジュールと、
前記線状発光モジュールの複数を所定の間隔で平面状に接続固定するモジュール接続固定装置と、
前記発光素子の点滅を制御する発光素子点滅制御装置とを備えたことを特徴とする電光掲示装置。
【請求項２】
前記線状発光モジュールの長さおよび前記モジュール接続固定装置の幅は、所定の大きさに変更可能であることを特徴とする請求項１に記載の電光掲示装置。
【請求項３】
異なる長さの前記線状発光モジュールを前記モジュール接続固定装置に接続固定することを特徴とする請求項１または請求項２に記載の電光掲示装置。
【発明の詳細な説明】
【技術分野】
【０００１】
本発明は、表示部分の大きさを変更し得る発光素子を用いた電光掲示装置に関する。
【背景技術】
【０００２】
従来、発光素子の発光ダイオード（ＬＥＤ）を用いた電光掲示装置は、多くの人々に情報を伝達する装置として広く利用されている（例えば、特許文献１参照。）。そして、このような電光掲示装置は、複数の発光ダイオードを平面状に並べて構成され、交通機関やビル壁面などに固定される固定式のものと、工事現場や野外イベント会場などに設置される移動式のものとに大別できる。
【特許文献１】特開２００３−３６０４２号公報  （第２〜３ページ、図１）
【発明の開示】
【発明が解決しようとする課題】
【０００３】
上記の従来の電光掲示装置においては、次のような問題がある。  
数ｍ×数ｍの大型であって、特に移動式のものにおいては、重量物となるので、組立作業および撤去作業にクレーン車などの重機が必要であり、多くの手間と時間を要していた。また、発光素子の表示部分は、予め定められた大きさとなっているので、表示部分を所定の大きさに変更することが困難であった。
【０００４】
このため、発光素子の表示部分が分割でき、輸送とともに現地での組立作業が容易で、電光掲示装置を設置する場所に合わせて表示部分の大きさを変更することが可能なものが望まれていた。
【０００５】
本発明は上記問題を解決するためになされたもので、発光素子の表示部分が分割でき、その表示部分の大きさを変更可能とする発光掲示装置を提供することを目的とする。
【課題を解決するための手段】
【０００６】
上記目的を達成するために、本発明の発光掲示装置は、複数の発光素子を直線状に並べた線状発光モジュールと、前記線状発光モジュールの複数を所定の間隔で平面状に接続固定するモジュール接続固定装置と、前記発光素子の点滅を制御する発光素子点滅制御装置とを備えたことを特徴とする。
【発明の効果】
【０００７】
本発明によれば、複数の発光素子を直線状に並べた線状発光モジュールを、平面状に並べて接続固定しているので、線状発光モジュールが分割でき、輸送とともに現地での組立作業が容易で、発光表示部の大きさを所定の大きさにすることができる。
【発明を実施するための最良の形態】
【０００８】
以下、図面を参照して本発明の実施例を説明する。
【実施例】
【０００９】
本発明の実施例に係る電光掲示装置を図１乃至図３を参照して説明する。図１は、本発明の実施例に係る電光掲示装置の回路構成を示す概略図、図２は、本発明の実施例に係る電光掲示装置の線状発光モジュールの構成を示す拡大断面図、図３は、本発明の実施例に係る電光掲示装置の表示例を示す図である。
【００１０】
図１に示すように、電光掲示装置は、電源を供給する電源装置１と、電源装置１に接続された入出力制御装置２と、入出力制御装置２に画像信号を供給する伝送装置３と、入出力制御装置２からの信号を受け複数の発光ダイオード４が点滅する発光表示部５から構成されている。
【００１１】
入出力制御装置２には、伝送装置３からの信号を処理する信号処理回路６が設けられ、信号処理回路６には、複数の増幅回路７が接続されている。また、伝送装置３には、所定の文字、絵などの信号を出力する画像回路８が設けられ、この画像回路８の信号が伝送回路９を介して、信号処理回路６に入力されるようになっている。
【００１２】
発光表示部５には、複数の発光ダイオード４を直線状に並べた複数の線状発光モジュール１０が設けられている。これらの線状発光モジュール１０は、それぞれが増幅回路７に接続されている。ここで、発光ダイオード４に限らず、白熱球などの発光素子を用いてもよい。
【００１３】
線状発光モジュール１０は、図２に示すように、筒状の透明な樹脂容器１１内に複数の発光ダイオード４を直線状に収納したものである。樹脂容器１１は、多角状でもよく、また硬質材料、軟質材料のいずれでもよい。また、発光ダイオード４の発光部を樹脂容器１１から露出させてもよい。
【００１４】
発光ダイオード４には、それぞれ点滅制御を行うスイッチ回路１２が設けられ、制御線１３に接続されている。樹脂容器１１の端部には、制御線１３に接続された接続端子１４が絶縁端子台１５に固定され設けられている。絶縁端子台１５の外周には、シール材１６を介して内周にネジを有する雌側キャップ１７が設けられている。なお、雌側キャップ１７は、入出力制御装置２の箱体に固定された外周にネジを有する雄側キャップ１８に接続固定される。また、雌側キャップ１７と対向する線状発光モジュール１０端部は、図示しない固定部材で固定される。
【００１５】
ここで、線状発光モジュール１０を接続固定する接続端子１４、雌側キャップ１７、雄側キャップ１８などをモジュール接続固定装置と定義する。
【００１６】
複数の線状発光モジュール１０を、所定の間隔で平面状に並べて、画像表示をした例を図３に示す。図３に示すように、複数の線状発光モジュール１０の各発光ダイオード４の点滅を伝送装置３からの信号に基づき入出力制御装置２で制御することにより、発光表示部５に情報を表示することができる。
【００１７】
ここで、複数の発光ダイオード４の点滅を制御する電源装置１、入出力制御装置２、伝送装置３などを発光素子点滅制御装置と定義する。
【００１８】
この例では、工事現場に用いる表示であり、発光表示部５を工事の規模により、小規模の数十ｃｍ×数十ｃｍから、大規模の数十ｍ×数十ｍまでの表示を行うことができる。即ち、所定の長さの線状発光モジュール１０を、所定の幅が形成できるように並列接続して組立てすることにより、所定の長さと幅とを有する発光表示部５を得ることができる。このように発光表示部５の大きさを可変できるものは、特に工事現場や野外イベント会場などに設置される移動式のもので、多様な大きさが要求されるものに利点を生じる。
【００１９】
なお、長さの異なる線状発光モジュール１０を複数並べて、例えばナイヤガラの滝状の表示も行うことができる。また、個々の発光ダイオード４の故障においては、当該線状発光モジュール１０を交換すればよいので、発光表示部５の全体を交換するものと比べて部品の交換が容易となる。
【００２０】
上記実施例の電光掲示装置によれば、複数の発光ダイオード４を直線状に並べて所定の長さにした線状発光モジュール１０の複数を、平面状に並べて接続固定し、所定の幅が形成できるようにしているので、線状発光モジュール１０が分割でき、輸送とともに現地での組立作業、解体作業が容易で、発光表示部５の大きさを所定の大きさにすることができる。
【図面の簡単な説明】
【００２１】
【図１】本発明の実施例に係る電光掲示装置の回路構成を示す概略図。
【図２】本発明の実施例に係る電光掲示装置の線状発光モジュールの構成を示す拡大断面図。
【図３】本発明の実施例に係る電光掲示装置の表示例を示す図。
【符号の説明】
【００２２】
１  電源装置
２  入出力制御装置
３  伝送装置
４  発光ダイオード
５  発光表示部
６  信号処理回路
７  増幅器
８  画像回路
９  伝送回路
１０  線状発光モジュール
１１  樹脂容器
１２  スイッチ回路
１３  制御線
１４  接続端子
１５  絶縁端子台
１６  シール材
１７  雌側キャップ
１８  雄側キャップ
【図１】
2007199454.tif 000003
【図２】
2007199454.tif 000004
【図３】
2007199454.tif 000005